(57)【要約】【課題】セキュリティーの向上が図れ、外観のデザイン性及びコンパクト性が高く、また堅牢性の高い記録装置を提供する。【解決手段】記録装置は、インクを収容し、注入口を有するタンクと、前記インクにより記録を行う記録部と、前記記録部を収容する筐体と、前記タンクの一部を覆う開閉部と、前記タンクが視認可能な視認部と、前記タンクまたは前記筐体周辺の状態を撮影可能な撮影部と、前記撮影部を制御する撮影制御部と、前記記録部を制御する記録制御部と、を備えた。【選択図】図１Ｂ
2018111260.tif 000002
【特許請求の範囲】
【請求項１】
インクを収容し、注入口を有するタンクと、
前記インクにより記録を行う記録部と、
前記記録部を収容する筐体と、
前記タンクの一部を覆う開閉部と、
前記タンクが視認可能な視認部と、
前記タンクまたは前記筐体周辺の状態を撮影可能な撮影部と、
前記撮影部を制御する撮影制御部と、
前記記録部を制御する記録制御部と、を備えたことを特徴とする記録装置。
【請求項２】
請求項１に記載の記録装置において、
前記開閉部の開閉を検知する検知部を備え、
前記撮影制御部は、
前記開閉部が開いた状態を前記検知部が検知した後、撮影を開始させることを特徴とする記録装置。
【請求項３】
請求項１または請求項２に記載の記録装置において、
前記記録制御部は、
前記撮影部によって撮影された画像を記録させることを特徴とする記録装置。
【請求項４】
請求項１から請求項３のいずれか一項に記載の記録装置において、
音を発する音発生部をさらに備え、
前記撮影制御部は、
前記撮影部で撮影を開始させるときに、音を発生させることを特徴とする記録装置。
【発明の詳細な説明】
【技術分野】
【０００１】
本発明は、記録装置に関する。
【背景技術】
【０００２】
従来、液体を噴射して記録を行う記録ヘッドと、当該記録ヘッドに供給する液体を収容するとともに、消費される液体を補充可能な液体収容部と当該液体収容部に液体を注入可能な液体注入口を有する液体収容体を含む液体収容体ユニットと、を備えたプリンターが知られていている（例えば、特許文献１参照）。
また、上記プリンターにおける液体収容体ユニットは、液体収容体を収容するケースを備え、当該ケースは、液体収容体を収容するケース本体と、開閉自在にケース本体に取り付けられたカバーとを有している。
そして、上記プリンターには、カバーが閉じた状態を保持可能な南京錠を含む施錠機構が設けられている。これにより、カバーを不必要に開くことが防止されるため、例えば、液体収容体への異物混入や液体収容体からの液体の抜き取り等の悪質な行為が防止され、セキュリティーの向上が図られる。
【先行技術文献】
【特許文献】
【０００３】
【特許文献１】特開２０１６−１６８７２７号公報
【発明の概要】
【発明が解決しようとする課題】
【０００４】
しかしながら、上記プリンターでは、施錠機構がケースの外側に突出した状態で配置されるため、外観デザイン性やコンパクト性に関して見劣ってしまう、という課題があった。本発明は、このような課題を解決するためになされたものであり、セキュリティーの向上が図れ、また、外観のデザイン性及びコンパクト性に優れた記録装置を提供することを目的とする。
【課題を解決するための手段】
【０００５】
本発明は、以下の形態又は適用例として実現され得る。
【０００６】
［適用例１］本適用例にかかる記録装置は、インクを収容し、注入口を有するタンクと、前記インクにより記録を行う記録部と、前記記録部を収容する筐体と、前記タンクの一部を覆う開閉部と、前記タンクが視認可能な視認部と、前記タンクまたは前記筐体周辺の状態を撮影可能な撮影部と、前記撮影部を制御する撮影制御部と、前記記録部を制御する記録制御部と、を備えたことを特徴とする。
【０００７】
この構成によれば、前記タンクまたは前記筐体周辺の状態を撮影可能な撮影部を備えているので、タンクまたは筐体周辺の状態を撮影することが可能となる。これにより、記録装置に関する悪質な行為を撮影可能となり、セキュリティーの向上を図ることができる。また、例えば、記録装置に故障等の不具合が発生した場合、その故障の原因を解明する手段となり得る。さらに、筐体に施錠機構等を設ける必要が無いので、外観のデザイン性及びコンパクト性を高めることができる。
【０００８】
［適用例２］上記適用例にかかる記録装置は、前記開閉部の開閉を検知する検知部を備え、前記撮影制御部は、前記開閉部が開いた状態を前記検知部が検知した後、撮影を開始させることを特徴とする。
【０００９】
例えば、タンクに異物を混入する行為や、タンク内のインクを抜き取る行為は開閉部を開けた状態で行われる。そこで、上記構成によれば、開閉部が開いた場合に撮影が開始されるため、適切なタイミングで記録装置に関する悪質な行為を撮影することができる。
【００１０】
［適用例３］上記適用例にかかる記録装置の前記記録制御部は、前記撮影部によって撮影された画像を記録させることを特徴とする。
【００１１】
この構成によれば、記録された画像から容易に記録装置の故障等の不具合の原因を解明することができる。
【００１２】
［適用例４］上記適用例にかかる記録装置は、音を発する音発生部をさらに備え、前記撮影制御部は、前記撮影部で撮影を開始させるときに、音を発生させることを特徴とする。
【００１３】
この構成によれば、音の発生によりさらに防犯効果を高めることができる。
【図面の簡単な説明】
【００１４】
【図１Ａ】第１実施形態にかかるプリンターの外観を示す正面図。
【図１Ｂ】第１実施形態にかかるプリンターの外観を示す斜視図。
【図１Ｃ】第１実施形態にかかるプリンターの外観を示す斜視図。
【図１Ｄ】第１実施形態にかかるプリンターの外観を示す斜視図。
【図１Ｅ】第１実施形態にかかるプリンターの内部の主要構成を示す概略図。
【図１Ｆ】第１実施形態にかかるプリンターの制御部の構成を示すブロック図。
【図２】第２実施形態にかかるプリンターの外観を示す正面図。
【図３】第３実施形態にかかるプリンターの外観を示す正面図。
【図４】第４実施形態にかかるプリンターの外観を示す正面図。
【図５】第５実施形態にかかるプリンターの外観を示す正面図。
【図６】第６実施形態にかかるプリンターの外観を示す正面図。
【図７】第７実施形態にかかるプリンターの外観を示す正面図。
【図８】第８実施形態にかかるプリンターの外観を示す正面図。
【図９】第９実施形態にかかるプリンターの外観を示す正面図。
【図１０】第１０実施形態にかかるプリンターの外観を示す正面図。
【図１１】第１１実施形態にかかるプリンターの外観を示す正面図。
【図１２】第１２実施形態にかかるプリンターの外観を示す正面図。
【図１３】第１３実施形態にかかるプリンターの外観を示す正面図。
【図１４】第１４実施形態にかかるプリンターの外観を示す正面図。
【図１５】第１５実施形態にかかるプリンターの外観を示す正面図。
【図１６】第１６実施形態にかかるプリンターの外観を示す正面図。
【図１７】第１７実施形態にかかるプリンターの外観を示す正面図。
【図１８】第１８実施形態にかかるプリンターの外観を示す正面図。
【図１９】第１９実施形態にかかるプリンターの外観を示す正面図。
【図２０】第２０実施形態にかかるプリンターの外観を示す正面図。
【図２１】第２１実施形態にかかるプリンターの外観を示す正面図。
【図２２】第２２実施形態にかかるプリンターの外観を示す正面図。
【図２３】第２３実施形態にかかるプリンターの外観を示す正面図。
【図２４】第２４実施形態にかかるプリンターの外観を示す正面図。
【図２５】第２５実施形態にかかるプリンターの外観を示す正面図。
【図２６】第２６実施形態にかかるプリンターの外観を示す正面図。
【図２７】第２７実施形態にかかるプリンターの外観を示す正面図。
【図２８】第２８実施形態にかかるプリンターの外観を示す正面図。
【図２９】第２９実施形態にかかるプリンターの外観を示す正面図。
【図３０】第３０実施形態にかかるプリンターの外観を示す正面図。
【図３１】第３１実施形態にかかるプリンターの外観を示す正面図。
【図３２】第３２実施形態にかかるプリンターの外観を示す正面図。
【図３３】第３３実施形態にかかるプリンターの外観を示す正面図。
【図３４】第３４実施形態にかかるプリンターの外観を示す正面図。
【図３５】第３５実施形態にかかるプリンターの外観を示す正面図。
【図３６】第３６実施形態にかかるプリンターの外観を示す正面図。
【図３７】第３７実施形態にかかるプリンターの外観を示す正面図。
【図３８】第３８実施形態にかかるプリンターの外観を示す正面図。
【図３９Ａ】第３９実施形態にかかるプリンターの外観を示す正面図。
【図３９Ｂ】第３９実施形態にかかるプリンターの一部外観を示す拡大図。
【図３９Ｃ】第３９実施形態にかかるプリンターの一部外観を示す拡大図。
【図４０Ａ】第４０実施形態にかかるプリンターの外観を示す正面図。
【図４０Ｂ】第４０実施形態にかかるプリンターの一部外観を示す拡大図。
【図４１】第４１実施形態にかかるプリンターの外観を示す斜視図。
【図４２】第４２実施形態にかかるプリンターの外観を示す斜視図。
【図４３】第４３実施形態にかかるプリンターの外観を示す斜視図。
【図４４Ａ】第４４実施形態にかかるプリンターの外観を示す斜視図。
【図４４Ｂ】第４４実施形態にかかるプリンターの外観を示す斜視図。
【図４５Ａ】第４５実施形態にかかるプリンターの外観を示す斜視図。
【図４５Ｂ】第４５実施形態にかかるプリンターの外観を示す斜視図。
【図４６Ａ】第４６実施形態にかかるプリンターの外観を示す斜視図。
【図４６Ｂ】第４６実施形態にかかるプリンターの外観を示す斜視図。
【図４６Ｃ】第４６実施形態にかかるプリンターの外観を示す斜視図。
【図４７Ａ】第４７実施形態にかかるプリンターの外観を示す斜視図。
【図４７Ｂ】第４７実施形態にかかるプリンターの外観を示す斜視図。
【図４８】第４８実施形態にかかるプリンターの外観を示す斜視図。
【図４９】第４９実施形態にかかるプリンターの外観を示す側面図。
【図５０】第５０実施形態にかかるプリンターの外観を示す側面図。
【図５１】第５１実施形態にかかるプリンターの外観を示す側面図。
【図５２Ａ】第５２実施形態にかかるプリンターの外観を示す正面図。
【図５２Ｂ】第５２実施形態にかかるプリンターの外観を示す斜視図。
【図５２Ｃ】第５２実施形態にかかるプリンターの外観を示す斜視図。
【図５２Ｄ】第５２実施形態にかかるプリンターの外観を示す斜視図。
【図５３】第５３実施形態にかかるプリンターの外観を示す正面図。
【図５４】第５４実施形態にかかるプリンターの外観を示す正面図。
【図５５】第５５実施形態にかかるプリンターの外観を示す正面図。
【図５６】第５６実施形態にかかるプリンターの外観を示す正面図。
【図５７】第５７実施形態にかかるプリンターの外観を示す正面図。
【図５８】第５８実施形態にかかるプリンターの外観を示す正面図。
【図５９】第５９実施形態にかかるプリンターの外観を示す正面図。
【図６０】第６０実施形態にかかるプリンターの外観を示す正面図。
【図６１】第６１実施形態にかかるプリンターの外観を示す正面図。
【図６２】第６２実施形態にかかるプリンターの外観を示す正面図。
【図６３】第６３実施形態にかかるプリンターの外観を示す正面図。
【図６４】第６４実施形態にかかるプリンターの外観を示す正面図。
【図６５】第６５実施形態にかかるプリンターの外観を示す正面図。
【図６６】第６６実施形態にかかるプリンターの外観を示す正面図。
【図６７】第６７実施形態にかかるプリンターの外観を示す正面図。
【図６８】第６８実施形態にかかるプリンターの外観を示す正面図。
【図６９】第６９実施形態にかかるプリンターの外観を示す正面図。
【図７０】第７０実施形態にかかるプリンターの外観を示す正面図。
【図７１】第７１実施形態にかかるプリンターの外観を示す正面図。
【図７２】第７２実施形態にかかるプリンターの外観を示す正面図。
【図７３】第７３実施形態にかかるプリンターの外観を示す正面図。
【図７４】第７４実施形態にかかるプリンターの外観を示す正面図。
【図７５】第７５実施形態にかかるプリンターの外観を示す正面図。
【図７６】第７６実施形態にかかるプリンターの外観を示す正面図。
【図７７】第７７実施形態にかかるプリンターの外観を示す正面図。
【図７８】第７８実施形態にかかるプリンターの外観を示す正面図。
【図７９】第７９実施形態にかかるプリンターの外観を示す正面図。
【図８０】第８０実施形態にかかるプリンターの外観を示す正面図。
【図８１】第８１実施形態にかかるプリンターの外観を示す正面図。
【図８２】第８２実施形態にかかるプリンターの外観を示す正面図。
【図８３】第８３実施形態にかかるプリンターの外観を示す正面図。
【図８４】第８４実施形態にかかるプリンターの外観を示す正面図。
【図８５】第８５実施形態にかかるプリンターの外観を示す正面図。
【図８６】第８６実施形態にかかるプリンターの外観を示す正面図。
【図８７】第８７実施形態にかかるプリンターの外観を示す正面図。
【図８８】第８８実施形態にかかるプリンターの外観を示す正面図。
【図８９】第８９実施形態にかかるプリンターの外観を示す正面図。
【図９０Ａ】第９０実施形態にかかるプリンターの外観を示す正面図。
【図９０Ｂ】第９０実施形態にかかるプリンターの一部外観を示す拡大図。
【図９０Ｃ】第９０実施形態にかかるプリンターの一部外観を示す拡大図。
【図９１Ａ】第９１実施形態にかかるプリンターの外観を示す正面図。
【図９１Ｂ】第９１実施形態にかかるプリンターの一部外観を示す拡大図。
【図９２Ａ】第９２実施形態にかかるプリンターの外観を示す斜視図。
【図９２Ｂ】第９２実施形態にかかるプリンターの外観を示す斜視図。
【図９３Ａ】第９３実施形態にかかるプリンターの外観を示す斜視図。
【図９３Ｂ】第９３実施形態にかかるプリンターの外観を示す斜視図。
【図９３Ｃ】第９３実施形態にかかるプリンターの外観を示す斜視図。
【図９４Ａ】第９４実施形態にかかるプリンターの外観を示す斜視図。
【図９４Ｂ】第９４実施形態にかかるプリンターの外観を示す斜視図。
【図９５Ａ】第９５実施形態にかかるプリンターの外観を示す斜視図。
【図９５Ｂ】第９５実施形態にかかるプリンターの外観を示す斜視図。
【発明を実施するための形態】
【００１５】
記録装置の一例であるインクジェットプリンター（以下、プリンターと呼ぶ）を例に、各実施形態を説明する。各実施形態に係るプリンターは、液体の一例であるインクによって、記録用紙などの記録媒体に印刷を行うことができる。
なお、各実施形態に係るプリンターでは基本構成が共通である。そして、プリンターの外観を様々に異ならせた実施形態が用意されている。
【００１６】
以下、各実施形態について、図面を参照しながら説明する。なお、各図面において、それぞれの構成を認識可能な程度の大きさにするために、構成や部材の縮尺が異なっていることがある。また、説明に必要な構成要素以外を省略することがある。
【００１７】
（第１実施形態）
図１Ａは、本実施形態に係るプリンターの外観を示す正面図であり、図１Ｂ、図１Ｃ及び図１Ｄは、本実施形態に係るプリンターの外観を示す斜視図である。図１Ａ、図１Ｂ、図１Ｃ及び図１Ｄには、相互に直交する座標軸であるＸＹＺ軸が付されている。これ以降に示す図についても、必要に応じてＸＹＺ軸が付されている。
本実施形態では、Ｘ軸とＹ軸とによって規定される水平な平面（ＸＹ平面）にプリンター１０１を配置した状態が、プリンター１０１の使用状態である。ＸＹ平面にプリンター１０１を配置したときのプリンター１０１の姿勢を、プリンター１０１の使用姿勢と呼ぶ。
【００１８】
Ｚ軸は、水平な平面に直交する軸である。プリンター１０１の使用状態において、Ｚ軸に沿った方向が鉛直方向となる。そして、プリンター１０１の使用状態では、図１Ａ、図１Ｂ及び図１Ｃにおいて、−Ｚ方向が鉛直下方向である。なお、ＸＹＺ軸のそれぞれにおいて、矢印の向きが＋（正）の方向を示し、矢印の向きとは反対の向きが−（負）の方向を示している。図１Ａは、プリンター１０１を＋Ｙ軸方向側から見た正面図である。図１Ｂ及び図１Ｄは、プリンター１０１を＋Ｘ方向側から見た斜視図である。図１Ｃは、プリンター１０１を−Ｘ方向側から見た斜視図である。
【００１９】
図１Ａ、図１Ｂ、図１Ｃ及び図１Ｄに示すように、プリンター１０１は、タンク２１と、記録部１５と、筐体２と、開閉部４０と、検知部５０と、視認部２０１と、撮影部６０と、を有している。また、プリンター１０１は、操作パネル３と、排紙部４と、カバー１０等を有している。さらに、本実施形態に係るプリンター１０１は、スキャナーユニット（図示しない）を含んでいる。すなわち、プリンター１０１は、スキャナーユニットを含む複合機である。なお、プリンター１０１が複合機ではなく、スキャナーユニットを含まないプリンターであってもよい。
【００２０】
筐体２は、記録部１５等を収容するものであり、プリンター１０１の外殻を構成している。操作パネル３は、筐体２の外側に配置されている。操作パネル３は、プリンター１０１において、排紙部４が配置された側の面（正面１１）に配置されている。操作パネル３は、表示パネル８、電源ボタンや操作ボタン等（いずれも図示省略）を含んでいる。なお、表示パネル８としては、例えば、タッチパネルなどのユーザーによる入力を受け付け可能なパネルを採用することができる。また、操作パネル３の傾斜を調整（チルト調整とも呼ばれる）可能な構造としてもよい。操作パネル３の傾斜を調整することができれば、ユーザーが所望の傾斜で操作パネル３を見たり操作したりすることができるので、利便性が高められる。
【００２１】
排紙部４は、筐体２における操作パネル３と同じ側の面に設けられている。プリンター１０１では、排紙部４から記録媒体Ｐ（図１Ｅ参照）が排出される。プリンター１０１において、排紙部４が設けられている面が正面１１とされている。プリンター１０１の正面１１が筐体２の正面１１でもある。本実施形態では、操作パネル３の外面及び排紙部４の外端部のＹ軸方向における位置は、筐体２の正面１１の外面のＹ軸方向における位置と略同一である。
【００２２】
筐体２は、正面１１と交差する上面１２と、正面１１及び上面１２と交差する側壁１３及び側壁１４とを有している。正面１１を正面に見たとき、すなわち正面１１を＋Ｙ方向側から平面視したとき、側壁１３は正面１１の＋Ｘ方向側に位置しており、側壁１４は正面１１の−Ｘ方向側に位置している。筐体２のうち、操作パネル３及び排紙部４の＋Ｘ方向側（正面１１と側壁１３とのコーナー側）の部分は、操作パネル３及び排紙部４が設けられた部分よりも＋Ｙ方向側に突出している。
【００２３】
開閉部４０は、タンク２１の一部を覆うものであり、筐体２の正面１１側に設けられている。開閉部４０は、筐体２のうち、操作パネル３及び排紙部４が設けられた部分よりも＋Ｙ方向側に突出した部分に配置されている。したがって、開閉部４０は、Ｘ軸方向において操作パネル３及び排紙部４よりも側壁１３側（＋Ｘ方向側）、かつ、Ｙ軸方向において操作パネル３及び排紙部４よりも手前側（＋Ｙ方向側）に配置されている。
【００２４】
開閉部４０は、筐体２に対して開閉可能に構成されている。具体的には、図１Ｂ及び図１Ｄに示すように、Ｘ軸に沿った軸（図示せず）を回転軸として、＋Ｘ方向側からＹＺ平面を平面視したときに時計回り及び反時計回りに移動可能である。そして、開閉部４０を開状態にする場合には、図１Ｂにおける状態（開閉部４０が閉状態）において、Ｘ軸に沿った軸を回転軸として、＋Ｘ方向側からＹＺ平面を平面視したときに反時計回りの方向に回動させることにより、図１Ｄに示すように、開閉部４０を筐体２に対して開くことができる。一方、開閉部４０を閉状態にする場合には、図１Ｄにおける状態（開閉部４０が開状態）において、Ｘ軸に沿った軸を回転軸として、＋Ｘ方向側からＹＺ平面を平面視したときに時計回りの方向に回動させることにより、図１Ｂに示すように、開閉部４０を筐体２に対して閉じることができる。
なお、開閉部４０を開状態（図１Ｄ参照）とすることで、筐体２内に収容されたタンク２１を露呈させ、タンク２１内部に注入口２２を介してインクを供給することができる。
【００２５】
開閉部４０の正面１１（ＸＺ平面）の面は平坦面を有している。そして、開閉部４０の正面１１（ＸＺ平面）の面には視認部２０１が設けられている。
視認部２０１は、タンク２１が視認可能に構成されている。本実施形態の視認部２１０は、開口である。従って、視認部２０１（開口）を介して筐体２内部に収容されたタンク２１を視認することができる。これにより、例えば、タンク２１に収容されたインクの量等を確認することができる。なお、視認部２０１の開口を塞ぐように、透明カバーを設けてもよい。透明性カバーは透光性を有する樹脂材料等を適用することができる。透光性を有するとは、光が通過する物質の性質において、物質を通してその向こう側が透けて見える状態に限定されず、その材質を通して向こう側の形状等を明確に認識できない状態の性質を含むものである。そして、例えば接着剤等により透明性カバーを開閉部４０に貼り付けてもよい。なお、本実施形態にかかる視認部２０１の外観形状は矩形を成している。
【００２６】
カバー１０は、筐体２の一部を構成している。カバー１０は、筐体２の上面１２に設けられている。カバー１０は、スキャナーユニット（図示しない）を覆っている。カバー１０は、Ｘ軸に沿った軸（図示せず）を回転軸として回動可能に構成されている。カバー１０を筐体２に対して一方方向に回動させることによって、カバー１０を筐体２に対して開くことができる。また、カバー１０を開いた状態からカバー１０を他方方向に回動させることによって、カバー１０を筐体２に対して閉じることができる。このように、カバー１０は、筐体２に対して開閉可能に構成されている。
【００２７】
カバー１０を筐体２に対して開くと、スキャナーユニットが露呈する。スキャナーユニットは、フラットベッドタイプであり、イメージセンサーなどの撮影素子（図示せず）を有している。スキャナーユニットは、用紙などの媒体に記録された画像などを、撮影素子を介して画像データとして読み取ることができる。このため、スキャナーユニットは、画像などの読み取り装置として機能する。
【００２８】
Ｘ軸方向においては、筐体２の長さとカバー１０の長さとは略同一である。Ｙ軸方向においては、筐体２の操作パネル３が設けられた位置における長さはカバー１０の長さと略同一であるが、筐体２の開閉部４０（視認部２０１）が設けられた位置における長さはカバー１０の長さよりも長い。
【００２９】
したがって、プリンター１０１の上面１２を＋Ｘ方向側から平面視したとき、カバー１０は筐体２のうち＋Ｙ方向側に突出している部分以外と重なる。すなわち、プリンター１の上面１２を＋Ｘ方向側から平面視したとき、筐体２のうち＋Ｙ方向側に突出している部分に設けられた開閉部４０（視認部２０１）は、カバー１０と重ならないように配置されている。これにより、開閉部４０を回動させる際、カバー１０に阻害されることなく回動させることができる。
【００３０】
検知部５０は、開閉部４０の開閉を検知するものである。検知部５０は、各種近接センサー（例えば、赤外線型、静電容量型、誘導型、超音波型等）を適宜適用することができる。なお、検知部５０は、近接センサーの他、リミットスイッチ等の接触型であってもよい。検知部５０は、図１Ｄに示すように、開閉部４０の近傍であって筐体２側に配置されている。なお、検知部５０の配置位置は特に限定されず、開閉部４０側に配置してもよい。
【００３１】
撮影部６０は、例えば、ＣＣＤカメラであり、タンク２１または筐体２周辺の状態を撮影可能に構成されている。また、撮影部６０は光学機構を含み、当該光学機構により撮影領域を拡大または縮小させて撮像することが可能となる。なお、撮影部６０は、ＣＭＯＳエリアセンサーやフォトダイオードセンサーであってもよい。
【００３２】
本実施形態の撮影部６０は、操作パネル３に配置されている。さらに詳細には、撮影部６０は操作パネル３であって開閉部４０の近傍に配置されている。これにより、タンク２１の周辺の状態を容易に撮影することができる。
【００３３】
次に、プリンター１０１の筐体２内部の主要構成を説明する。図１Ｅは、プリンターの内部の主要構成を示す斜視図である。図１Ｅに示すように、プリンター１０１は、記録部としての記録ヘッド１５と、制御部１６と、タンクユニット２０と、を有している。記録ヘッド１５と、制御部１６と、タンクユニット２０とは、筐体２に収容されている。
【００３４】
記録ヘッド１５は、インクをインク滴として吐出（噴射）して、記録媒体Ｐに記録を行うものである。記録ヘッド１５は、Ｘ軸方向に配置されたガイドレール３１に支持されたキャリッジ３２に搭載されている。キャリッジ３２は、モーターを含む移動機構（図示せず）が接続されており、移動機構を駆動させることによりキャリッジ３２をＸ軸方向に沿って往復移動させることができる。そして、キャリッジの移動に伴って記録ヘッド１５がＸ軸方向に沿って往復移動する。
【００３５】
また、プリンター１０１は、記録媒体Ｐを＋Ｙ方向に搬送可能な搬送部（図示せず）を備えている。そして、搬送部によって＋Ｙ方向に搬送される記録媒体Ｐに対して、キャリッジ３２及び記録ヘッド１５をＸ軸方向に沿って往復移動させながら、インクで記録を行う。なお、搬送部は、記録用紙などの記録媒体Ｐを、＋Ｙ方向に間欠的に搬送する。
そして、制御部１６は、上記の各構成の駆動を制御する。
【００３６】
タンクユニット２０は、筐体２のうち操作パネル３及び排紙部４よりも＋Ｙ方向側に突出した部分（開閉部４０）の内側に配置されている。すなわちプリンター１０１を＋Ｙ方向側から見たとき、タンクユニット２０は、開閉部４０の内側（−Ｙ方向側）に配置されている。また、タンクユニット２０は、Ｘ軸方向において操作パネル３及び排紙部４と側壁１３との間に位置している。
【００３７】
タンクユニット２０は、複数のタンク２１で構成されている。本実施形態のタンクユニット２０は４つのタンク２１を含んでいる。なお、タンクユニット２０におけるタンク２１の個数は、４つに限定されず、４つを下回る個数や、４つを超える個数としてもよい。そして、実施形態では、４つのタンク２１がＸ軸に沿って並んで配置されている。
【００３８】
また、本実施形態では、複数のタンク２１が互いに別体で構成されている。しかしながら、タンク２１の構成は、これに限定されない。複数のタンク２１を一体にしてタンクユニット２０を１つの液体収容体とする構成としてもよい。このような構成の場合、タンクユニット２０は、互いに個別のタンク２１に仕切られ、異なる種類の液体を収容可能に構成される。この場合、例えば、複数のタンク２１に、異なる色のインクを個別に収容することができる。
【００３９】
タンク２１は、インクを収容する容器である。タンク２１には、タンク２１内部に連通する注入口２２が形成されている。注入口２２は、タンク２１の＋Ｚ方向側に位置する面に形成された開口部として構成されている。タンク２１では、注入口２２を介してタンク２１の外部からタンク２１の内部にインクを注入することができる。なお、注入口２２をキャップで封止する構成としてもよい。このような構成の場合、ユーザーは、タンク２１にインクを注入するときにキャップを開けて注入口２２を開放してからインクを注入することができる。
【００４０】
なお、タンク２１の構成は、上記に限定されない。タンク２１の構成としては、例えば、タンク２１の外形面から突出する管状の液体注入部を設けた構成としてもよい。
【００４１】
タンク２１は、少なくとも一部が透光性を有する部材で構成されている。透光性を有するとは、光が通過する物質の性質において、物質を通してその向こう側が透けて見える状態に限定されず、その材質を通して向こう側の形状等を明確に認識できない状態の性質を含むものである。タンク２１の＋Ｙ方向に位置する視認面２４は透光性を有し、視認面２４からタンク２１内のインクの収容量を視認することが可能である。視認面２４には、例えば、上限マーク２５や、下限マーク２６などが付加されている。ユーザーは、上限マーク２５及び下限マーク２６を目印にしてタンク２１におけるインクの量を把握することができる。
【００４２】
なお、上限マーク２５は、インクを注入口２２から注入したときに、注入口２２からインクが漏れ出さないようにインク量の目安を示すものである。また、下限マーク２６は、インクの注入を促すときのインク量の目安を示すものである。上限マーク２５及び下限マーク２６のいずれか一方が設けられた構成としてもよい。
【００４３】
タンク２１は、視認面２４と交差する側面２７と側面２８とを有している。タンク２１の視認面２４を＋Ｙ方向側から見たとき、側面２７は筐体２の側壁１３側（＋Ｘ方向側）に位置しており、側面２８は筐体２の側壁１４側（−Ｘ方向側）に位置している。
【００４４】
各タンク２１には、インク供給チューブ１７が接続される。タンク２１内のインクは、インク供給チューブ１７を介して記録ヘッド１５に供給される。そして、記録ヘッド１５に供給されたインクが、記録媒体Ｐ側に向けられたノズル（図示しない）からインク滴として吐出される。
【００４５】
インクは、水性インクと油性インクとのいずれか一方に限定されるものではない。また、水性インクとしては、水性溶媒に染料などの溶質が溶解した構成を有するもの、水性分散媒に顔料などの分散質が分散した構成を有するもののいずれでもよい。また、油性インクとしては、油性溶媒に染料などの溶質が溶解した構成を有するもの、油性分散媒に顔料などの分散質が分散した構成を有するもののいずれでもよい。
【００４６】
タンクユニット２０（４つのタンク２１）は、プリンター１０１の正面１１を＋Ｙ方向側から平面視したとき、図１Ａに示すように、視認部２０１が設けられた開閉部４０と重なる位置に設けられている。したがって、タンク２１の表面が外部に露出していなくても、ユーザーは、プリンター１０１の外部から視認部２０１を介してタンク２１を視認することができる。そして、ユーザーは、例えば、プリンター１０１の外部から、上限マーク２５及び下限マーク２６を目印にしてタンク２１におけるインクの量を把握することができる。
【００４７】
また、視認部２０１の開口を塞ぐ透明カバーを設けた場合には、透明カバーによりプリンター１０１（筐体２）の外部からタンク２１への埃塵の侵入や、外部からの接触等によるタンクユニット２０の損傷を防止できる。したがって、タンク２１の表面が外部に露出している場合と比べて、外部からの埃塵や損傷などによる視認性への悪影響を抑止できる。なお、タンク２１が筐体２の突出する部分の内部に配置されているので、筐体２の幅（Ｘ軸方向の長さ）を抑えてタンク２１の容量を大きくできる。
【００４８】
タンク２１にインクを補充する際は、図１Ｄに示すように、開閉部４０を開状態とする。これにより、各タンク２１の一部が露呈する。そして、ユーザーは、注入口２２を介して、プリンター１０１の外部からタンク２１の内部にインクを注入することができる。インクを補充した後、開閉部４０を閉状態にすることにより、注入口２２は開閉部４０で覆われる。
【００４９】
次に、プリンターの制御部の構成について説明する。図１Ｆはプリンターの制御部の構成を示すブロック図である。図１Ｆに示すように、制御部１６は、指令部７０と駆動部８０とを備えている。指令部７０は、ＣＰＵ７１、記憶手段としてのＲＯＭ７７，ＲＡＭ７８及び入出力インターフェイス７９から構成されている。ＣＰＵ７１は、撮影部６０を制御する撮影制御部７２及び記録ヘッド１５を制御する記録制御部７３を含む。そして、ＣＰＵ７１が入出力インターフェイス７９を介して入力される各種信号を、ＲＯＭ７７、ＲＡＭ７８のデータに基づき処理し、入出力インターフェイス７９を介して駆動部８０へ制御信号を出力する。ＣＰＵ７１は、例えば、ＲＯＭ７７に記憶された印刷プログラムに基づいて、各種制御を行う。
【００５０】
駆動部８０は、ヘッド駆動部８１、キャリッジ駆動部８２、搬送駆動部８３、表示駆動部８４等から構成されている。
そして、指令部７０からの制御信号により、ヘッド駆動部８１は、記録ヘッド１５を制御し、キャリッジ駆動部８２は、キャリッジ３２（移動機構）を制御し、搬送駆動部８３は、搬送部を制御し、表示駆動部８４は、表示パネル８を制御する。
【００５１】
また、制御部１６には、検知部５０及び撮影部６０がそれぞれ接続されている。
【００５２】
上記したプリンター１０１の制御構成において、撮影制御部７２は、開閉部４０が開いた状態を検知した後、撮影を開始させる。詳細には、プリンター１０１において、タンク２１への異物混入や、タンク２１内からのインクの抜き取り等の悪質な行為が想定される場合がある。このような行為は、開閉部４０が開状態で行われる。そこで、検知部５０により開閉部４０が開いた状態が検知されると、検知データが指令部７０に送信される。そして、撮影制御部７２は、検知データに基づいて、撮影部６０を駆動させる。これにより、タンク２１や筐体２の周辺の撮影が開始される。従って、適切なタイミングでプリンター１０１（特にタンク２１）に関する不適切な行為等を撮影することができる。
【００５３】
また、記録制御部７３は、撮影部６０によって撮影された画像を記録させる。例えば、撮影部６０で撮影した画像を表示パネル８に表示させ、操作ボタンで所望の画像を選択及び所望の調整を行った後、記録ヘッド１５やキャリッジ３２等を駆動させる。これにより、記録媒体Ｐに画像が形成（記録）される。従って、記録された画像から容易にプリンター１０１の故障の原因等を解明することができる。
【００５４】
また、プリンター１０１に音を発する音発生部を備えてもよい。音発生部は、例えば、圧電振動板を用いた圧電ブザーである。音発生部は制御部１６に接続される。そして、撮影制御部７２は、撮影部６０で撮影を開始させるときに、音発生部を駆動させる。従って、音の発生によりさらに防犯効果を高めることができる。
【００５５】
以上、本実施形態によれば、以下に示す効果を得ることができる。
【００５６】
プリンター１０１には、開閉部４０の開閉を検知する検知部５０が設けられ、また、タンク２１または筐体２周辺の状態を撮影可能な撮影部６０が設けられている。これにより、プリンター１０１の周辺を撮影することが可能となり、プリンター１０１に関する悪質な行為等を撮影し、セキュリティーの向上を図ることができる。また、例えば、プリンター１０１が故障した場合、故障の原因を解明する手段となり得る。さらに、本実施形態のプリンター１０１は、筐体２に施錠機構等を設ける必要が無く、筐体２から物体が突出することがないので、外観デザイン性及びコンパクト性を高めることができる。
【００５７】
ここで、第１実施形態では、図１Ａに示すように、タンク２１が視認可能な矩形の視認部２０１（開口）を設けたが、この形態に限定されない。視認部は種々の形態を適用することができる。
そこで、以下、種々の形態の視認部を適用した実施形態について説明する。なお、各実施形態において第１実施形態と同じ構成には同符号を付し、説明を省略する。また、各実施形態におけるプリンターの基本構成及び制御部の構成も第１実施形態の構成と同様なので説明を省略する。
【００５８】
まず、第１実施形態では、視認部２０１は矩形であったが、視認部２０１に大きさ及び形状等に関し種々の形態を適用することができる。
【００５９】
図２は、第２実施形態にかかるプリンターの外観を示す正面図である。
図２に示すように、プリンター１０２は、タンク２１が視認可能な視認部２０２を備えている。
【００６０】
図３は、第３実施形態にかかるプリンターの外観を示す正面図である。
図３に示すように、プリンター１０３は、タンク２１が視認可能な視認部２０３を備えている。
【００６１】
図４は、第４実施形態にかかるプリンターの外観を示す正面図である。
図４に示すように、プリンター１０４は、タンク２１が視認可能な視認部２０４を備えている。
【００６２】
図５は、第５実施形態にかかるプリンターの外観を示す正面図である。
図５に示すように、プリンター１０５は、タンク２１が視認可能な視認部２０５を備えている。
【００６３】
図６は、第６実施形態にかかるプリンターの外観を示す正面図である。
図６に示すように、プリンター１０６は、タンク２１が視認可能な視認部２０６を備えている。
【００６４】
図７は、第７実施形態にかかるプリンターの外観を示す正面図である。
図７に示すように、プリンター１０７は、タンク２１が視認可能な視認部２０７を備えている。
【００６５】
図８は、第８実施形態にかかるプリンターの外観を示す正面図である。
図８に示すように、プリンター１０８は、タンク２１が視認可能な視認部２０８を備えている。
【００６６】
図９は、第９実施形態にかかるプリンターの外観を示す正面図である。
図９に示すように、プリンター１０９は、タンク２１が視認可能な視認部２０９を備えている。
【００６７】
図１０は、第１０実施形態にかかるプリンターの外観を示す正面図である。
図１０に示すように、プリンター１１０は、タンク２１が視認可能な視認部２１０を備えている。図１０に示すように、視認部２１０の一部に湾曲部を有している。
【００６８】
図１１は、第１１実施形態にかかるプリンターの外観を示す正面図である。
図１１に示すように、プリンター１１１は、タンク２１が視認可能な視認部２１１を備えている。図１１に示すように、視認部２１１の一部に湾曲部を有している。
【００６９】
図１２は、第１２実施形態にかかるプリンターの外観を示す正面図である。
図１２に示すように、プリンター１１２は、タンク２１が視認可能な視認部２１２を備えている。図１２に示すように、視認部２１２は複数の開口（本実施形態では４つ）を有している。各開口は矩形を成している。視認部２１２の複数の開口はＸ軸に沿って配列されている。なお、開口の数は、プリンター１１２に搭載されるタンク２１の数と同じであってもよし、タンク２１に収容されるインクの色の種類の数であってもよい。また、視認部２１２における一部の開口の大きさは、他の開口の大きさと異なっている。
【００７０】
図１３は、第１３実施形態にかかるプリンターの外観を示す正面図である。
図１３に示すように、プリンター１１３は、タンク２１が視認可能な視認部２１３を備えている。図１３に示すように、視認部２１３は複数の開口を有している。視認部２１３の複数の開口はＸ軸に沿って配列されている。また、視認部２１３における一部の開口の大きさは、他の開口の大きさと異なっている。
【００７１】
図１４は、第１４実施形態にかかるプリンターの外観を示す正面図である。
図１４に示すように、プリンター１１４は、タンク２１が視認可能な視認部２１４を備えている。図１４に示すように、視認部２１４は複数の開口を有している。視認部２１４の複数の開口はＸ軸に沿って配列されている。また、視認部２１４における一部の開口の大きさは、他の開口の大きさと異なっている。
【００７２】
図１５は、第１５実施形態にかかるプリンターの外観を示す正面図である。
図１５に示すように、プリンター１１５は、タンク２１が視認可能な視認部２１５を備えている。図１５に示すように、視認部２１５は複数の開口を有している。視認部２１５の複数の開口はＸ軸に沿って配列されている。また、視認部２１５における一部の開口の大きさは、他の開口の大きさと異なっている。
【００７３】
図１６は、第１６実施形態にかかるプリンターの外観を示す正面図である。
図１６に示すように、プリンター１１６は、タンク２１が視認可能な視認部２１６を備えている。図１６に示すように、視認部２１６は複数の開口を有している。視認部２１６の複数の開口はＸ軸に沿って配列されている。また、開口は、いずれも同じ大きさである。
【００７４】
図１７は、第１７実施形態にかかるプリンターの外観を示す正面図である。
図１７に示すように、プリンター１１７は、タンク２１が視認可能な視認部２１７を備えている。図１７に示すように、視認部２１７は複数の開口を有している。視認部２１７の複数の開口はＸ軸に沿って配列されている。また、開口は、いずれも同じ大きさである。
【００７５】
図１８は、第１８実施形態にかかるプリンターの外観を示す正面図である。
図１８に示すように、プリンター１１８は、タンク２１が視認可能な視認部２１８を備えている。図１８に示すように、視認部２１８は複数の開口を有している。視認部２１８の複数の開口はＸ軸に沿って配列されている。また、視認部２８１における一部の開口の大きさは、他の開口の大きさと異なっている。
【００７６】
図１９は、第１９実施形態にかかるプリンターの外観を示す正面図である。
図１９に示すように、プリンター１１９は、タンク２１が視認可能な視認部２１９を備えている。図１９に示すように、視認部２１９は複数の開口を有している。視認部２１９の複数の開口はＸ軸に沿って配列されている。また、開口は、いずれも同じ大きさである。
【００７７】
図２０は、第２０実施形態にかかるプリンターの外観を示す正面図である。
図２０に示すように、プリンター１２０は、タンク２１が視認可能な視認部２２０を備えている。図２０に示すように、視認部２２０は複数の開口を有している。視認部２２０の複数の開口はＸ軸に沿って配列されている。また、開口は、いずれも同じ大きさである。
【００７８】
図２１は、第２１実施形態にかかるプリンターの外観を示す正面図である。
図２１に示すように、プリンター１２１は、タンク２１が視認可能な視認部２２１を備えている。図２１に示すように、視認部２２１は複数の開口を有している。視認部２２１の複数の開口はＸ軸に沿って配列されている。また、開口は、いずれも同じ大きさである。
【００７９】
図２２は、第２２実施形態にかかるプリンターの外観を示す正面図である。
図２２に示すように、プリンター１２２は、タンク２１が視認可能な視認部２２２を備えている。図２２に示すように、視認部２２２は複数の開口を有している。視認部２２２の複数の開口はＸ軸に沿って配列されている。また、開口は、いずれも同じ大きさである。
【００８０】
図２３は、第２３実施形態にかかるプリンターの外観を示す正面図である。
図２３に示すように、プリンター１２３は、タンク２１が視認可能な視認部２２３を備えている。図２３に示すように、視認部２２３は複数の開口を有している。視認部２２３の複数の開口はＸ軸に沿って配列されている。また、視認部２２３における一部の開口の大きさは、他の開口の大きさと異なっている。
【００８１】
図２４は、第２４実施形態にかかるプリンターの外観を示す正面図である。
図２４に示すように、プリンター１２４は、タンク２１が視認可能な視認部２２４を備えている。図２４に示すように、視認部２２４は複数の開口を有している。視認部２２４の複数の開口はＸ軸に沿って配列されている。また、開口は、いずれも同じ大きさである。
【００８２】
図２５は、第２５実施形態にかかるプリンターの外観を示す正面図である。
図２５に示すように、プリンター１２５は、タンク２１が視認可能な視認部２２５を備えている。図２５に示すように、視認部２２５は複数の開口を有している。視認部２２５の複数の開口はＸ軸に沿って配列されている。また、視認部２２５における一部の開口の大きさは、他の開口の大きさと異なっている。
【００８３】
図２６は、第２６実施形態にかかるプリンターの外観を示す正面図である。
図２６に示すように、プリンター１２６は、タンク２１が視認可能な視認部２２６を備えている。図２６に示すように、視認部２２６は複数の開口を有している。視認部２２６の複数の開口はＸ軸に沿って配列されている。また、視認部２２６における一部の開口の大きさは、他の開口の大きさと異なっている。
【００８４】
図２７は、第２７実施形態にかかるプリンターの外観を示す正面図である。
図２７に示すように、プリンター１２７は、タンク２１が視認可能な視認部２２７を備えている。図２７に示すように、視認部２２７は複数の開口を有している。視認部２２７の複数の開口はＸ軸に沿って配列されている。また、視認部２２７における一部の開口の大きさは、他の開口の大きさと異なっている。
【００８５】
図２８は、第２８実施形態にかかるプリンターの外観を示す正面図である。
図２８に示すように、プリンター１２８は、タンク２１が視認可能な視認部２２８を備えている。図２８に示すように、視認部２２８は２つの開口を有している。視認部２２８の２つの開口はＸ軸に沿って配列されている。また、互いの開口の大きさは異なっている。
【００８６】
図２９は、第２９実施形態にかかるプリンターの外観を示す正面図である。
図２９に示すように、プリンター１２９は、タンク２１が視認可能な視認部２２９を備えている。図２９に示すように、視認部２２９は２つの開口を有している。視認部２２９の２つの開口はＸ軸に沿って配列されている。また、互いの開口の大きさは異なっている。
【００８７】
図３０は、第３０実施形態にかかるプリンターの外観を示す正面図である。
図３０に示すように、プリンター１３０は、タンク２１が視認可能な視認部２３０を備えている。図３０に示すように、視認部２３０は複数の開口を有している。視認部２３０の複数の開口はＸ軸に沿って配列されている。また、開口は円形を成し、開口は、いずれも同じ大きさである。
【００８８】
図３１は、第３１実施形態にかかるプリンターの外観を示す正面図である。
図３１に示すように、プリンター１３１は、タンク２１が視認可能な視認部２３１を備えている。図３１に示すように、視認部２３１は複数の開口を有している。また、視認部２３１の複数の開口はＸ軸及びＺ軸方向に沿って配列されている。また、開口は、いずれも同じ大きさである。
【００８９】
図３２は、第３２実施形態にかかるプリンターの外観を示す正面図である。
図３２に示すように、プリンター１３２は、タンク２１が視認可能な視認部２３２を備えている。図３２に示すように、視認部２３２は複数の開口を有している。また、開口は、Ｚ軸方向に沿って複数の開口が配列されている。また、開口は、いずれも同じ大きさである。
【００９０】
図３３は、第３３実施形態にかかるプリンターの外観を示す正面図である。
図３３に示すように、プリンター１３３は、タンク２１が視認可能な視認部２３３を備えている。図３３に示すように、視認部２３３は複数の開口を有している。また、開口は、Ｚ軸方向に沿って複数の開口が配列されている。また、開口は、いずれも同じ大きさである。
【００９１】
図３４は、第３４実施形態にかかるプリンターの外観を示す正面図である。
図３４に示すように、プリンター１３４は、タンク２１が視認可能な視認部２３４を備えている。図３４に示すように、視認部２３４は複数の開口を有している。また、視認部２３４の複数の開口はＸ軸及びＺ軸方向に沿って配列されている。また、視認部２３４における一部の開口の大きさは、他の開口の大きさと異なっている。
【００９２】
図３５は、第３５実施形態にかかるプリンターの外観を示す正面図である。
図３５に示すように、プリンター１３５は、タンク２１が視認可能な視認部２３５を備えている。図３５に示すように、視認部２３５は複数の開口を有している視認部２３５の複数の開口はＸ軸及びＺ軸方向に沿って配列されている。また、開口は、いずれも同じ大きさである。
【００９３】
図３６は、第３６実施形態にかかるプリンターの外観を示す正面図である。
図３６に示すように、プリンター１３６は、タンク２１が視認可能な視認部２３６を備えている。図３６に示すように、視認部２３６は複数の開口を有している。視認部２３６の複数の開口はＸ軸及びＺ軸方向に沿って配列されている。また、視認部２３６における一部の開口の大きさは、他の開口の大きさと異なっている。
【００９４】
図３７は、第３７実施形態にかかるプリンターの外観を示す正面図である。
図３７に示すように、プリンター１３７は、タンク２１が視認可能な視認部２３７を備えている。図３７に示すように、視認部２３７は複数の開口を有している。視認部２３７の複数の開口はＸ軸及びＺ軸方向に沿って配列されている。また、視認部２３７において、Ｘ軸方向のそれぞれに配列された開口の大きさは、いずれも同じ大きさであるが、Ｚ軸方向のそれぞれに配列された開口の大きさは、それぞれ異なっている。
【００９５】
図３８は、第３８実施形態にかかるプリンターの外観を示す正面図である。
図３８に示すように、プリンター１３８は、タンク２１が視認可能な視認部２３８を備えている。図３８に示すように、視認部２３８は複数の開口を有している。また、開口は、Ｚ軸方向に沿って複数の開口が配列されている。また、視認部２３８における開口の大きさは、互いに異なっている。
【００９６】
図３９Ａは、第３９実施形態にかかるプリンターの外観を示す正面図である。また、図３９Ｂ及び図３９Ｃは第３９実施形態にかかるプリンターの一部外観を示す拡大図である。
図３９Ａに示すように、プリンター１３９は、タンク２１が視認可能な視認部２３９（２３９Ａ，２３９Ｂ）を備えている。図３９Ａ、図３９Ｂ及び図３９Ｃに示すように、視認部２３９（２３９Ａ，２３９Ｂ）は複数の開口を有している。開口の大きさは比較的小さく、矩形を成している。そして、複数の開口は、Ｘ軸方向及びＺ軸方向に沿って配列されている。なお、視認部２３９（２３９Ａ，２３９Ｂ）における開口の形状は、菱形等であってもよい。
【００９７】
図４０Ａは、第４０実施形態にかかるプリンターの外観を示す正面図である。また、図４０Ｂは第４０実施形態にかかるプリンターの一部外観を示す拡大図である。
図４０Ａに示すように、プリンター１４０は、タンク２１が視認可能な視認部２４０を備えている。図４０Ａ及び図４０Ｂに示すように、視認部２４０は複数の開口を有している。開口の大きさは比較的小さく、円形を成している。そして、複数の開口は、Ｘ軸方向及びＺ軸方向に沿って配列されている。
【００９８】
図４１は、第４１実施形態にかかるプリンターの外観を示す斜視図である。
図４１に示すように、プリンター１４１は、タンク２１が視認可能な視認部２４１を備えている。図４１に示すように、視認部２４１は複数の開口を有している。視認部２４１の複数の開口はＸ軸方向に沿って配列されている。また、視認部２４１における一部の開口の大きさは、他の開口の大きさと異なっている。さらに、一部の開口が開閉部４０のＸ軸に沿った面とＹ軸に沿った面とが交差する角部にかけて設けられている。
【００９９】
図４２は、第４２実施形態にかかるプリンターの外観を示す斜視図である。
図４２に示すように、プリンター１４２は、タンク２１が視認可能な視認部２４１を備えている。視認部２４１の構成は第４１実施形態の構成と同様であるが、特に限定されず、他の形態であってもよい。
そして、プリンター１４２では、図４２に示すように、側壁１３に凸部１３ａが形成されている。本実施形態の凸部１３ａは、側壁１３のＹ軸方向に沿うように筐体２の幅全体に形成されている。
【０１００】
図４３は、第４３実施形態にかかるプリンターの外観を示す斜視図である。
図４３に示すように、プリンター１４３は、タンク２１が視認可能な視認部２４３を備えている。図４３に示すように、視認部２４３は、開閉部４０のＺ軸方向の上方におけるＹ軸に沿った面に設けられている。なお、本実施形態の視認部２４３は一つの開口であるが、複数の開口を有した形態であってもよい。
【０１０１】
図４４Ａ及び図４４Ｂは、第４４実施形態にかかるプリンターの外観を示す斜視図である。
図４４Ａに示すように、プリンター１４４は、開閉部４０にタンク２１が視認可能な視認部２０１を備えている。視認部２０１の形態は、第１実施形態と同様であるが、特に限定されず、他の形態であってもよい。
また、本実施形態のプリンター１４４の開閉部４０には、摘み部９０が設けられている。そして、図４４Ｂに示すように、ユーザーの手指を摘み部９０に掛けることで容易に開閉部４０を開閉することができる。摘み部９０は、開閉部４０における上部に配置される。摘み部９０の形状は、凹部であってもよいし、凸部であってもよい。また、図４４Ｂに示すように、プリンター１４４には、筐体２と開閉部４０とが係合する係合部９１が設けられており、開閉部４０を確実に閉状態とすることができる。なお、本実施形態のプリンター１４４の摘み部９０は、開閉部４０における上部に配置されるが、これに限定されず開閉部４０における下部に配置されてもよく、上部と下部との間に配置されてもよい。
【０１０２】
ここで、第１実施形態では、Ｘ軸に沿った軸を回転軸として開閉部４０を開閉可能な構成としたが、これに限定されない。
図４５Ａ及び図４５Ｂは第４５実施形態にかかるプリンターの外観を示す斜視図である。
図４５Ａに示すように、プリンター１４５は、開閉部４０にタンク２１が視認可能な視認部２０１を備えている。視認部２０１の形態は、第１実施形態と同様であるが、特に限定されず、他の形態であってもよい。
そして、開閉部４０は、筐体２に対して開閉可能に構成されている。具体的には、Ｚ軸に沿った軸（図示せず）を回転軸として、＋Ｚ方向側からＸＹ平面を平面視したときに時計回り及び反時計回りに移動可能である。すなわち、開閉部４０を開状態にする場合には、図４５Ａにおける状態（開閉部４０が閉状態）において、Ｚ軸に沿った軸を回転軸として、＋Ｚ方向側からＸＹ平面を平面視したときに反時計回りの方向に回動させることにより、図４５Ｂに示すように、開閉部４０を筐体２に対して開くことができる。一方、開閉部４０を閉状態にする場合には、図４５Ｂにおける状態（開閉部４０が開状態）において、Ｚ軸に沿った軸を回転軸として、＋Ｚ方向側からＸＹ平面を平面視したときに時計回りの方向に回動させることにより、図４５Ａに示すように、開閉部４０を筐体２に対して閉じることができる。
【０１０３】
図４６Ａ、図４６Ｂ及び図４６Ｃは第４６実施形態にかかるプリンターの外観を示す斜視図である。
図４６Ａ及び図４６Ｂに示すように、プリンター１４６は、開閉部４０にタンク２１が視認可能な視認部２４３を備えている。視認部２４３の形態は、第４３実施形態と同様なので説明は省略する。
そして、図４６Ｃに示すように、開閉部４０は、筐体２に対して開閉可能に構成されている。具体的には、Ｚ軸に沿った軸（図示せず）を回転軸として、＋Ｚ方向側からＸＹ平面を平面視したときに時計回り及び反時計回りに移動可能である。なお、本実施形態の開閉部４０の構成は第４５実施形態の構成と同様なので説明を省略する。
また、図４６Ａに示すように、本実施形態のプリンター１４６では、側壁１３全体が平坦面を成している。さらに、図４６Ｃに示すように、筐体２であってタンク２１の上方に撮影部６１（例えば、ＣＣＤカメラ）が配置されている。当該撮影部６１は、開閉部４０が閉状態の場合には、外観では開閉部４０によって覆われるため認識することができない。そして、開閉部４０が開いた状態を検知すると、撮影部６０，６１が駆動し、撮影が開始されるように構成されている。
【０１０４】
また、第１実施形態では、Ｘ軸に沿った軸を回転軸として開閉部４０を開閉可能な構成とし、また、タンク２１をＸ軸に沿って並んで配置したが、これに限定されない。
図４７Ａ及び図４７Ｂは第４７実施形態にかかるプリンターの外観を示す斜視図である。
図４７Ａに示すように、プリンター１４７は、側壁１３側に開閉部４０を備え、当該開閉部４０にタンク２１が視認可能な視認部２０１を備えている。視認部２０１の形態は、第１実施形態と同様であるが、特に限定されず、他の形態であってもよい。
そして、開閉部４０は、筐体２に対して開閉可能に構成されている。具体的には、Ｙ軸に沿った軸（図示せず）を回転軸として、＋Ｙ方向側からＸＺ平面を平面視したときに時計回り及び反時計回りに移動可能である。すなわち、開閉部４０を開状態にする場合には、図４７Ａにおける状態（開閉部４０が閉状態）において、Ｙ軸に沿った軸を回転軸として、＋Ｙ方向側からＸＺ平面を平面視したときに時計回りの方向に回動させることにより、図４７Ｂに示すように、開閉部４０を筐体２に対して開くことができる。一方、開閉部４０を閉状態にする場合には、図４７Ｂにおける状態（開閉部４０が開状態）において、Ｙ軸に沿った軸を回転軸として、＋Ｙ方向側からＸＺ平面を平面視したときに反時計回りの方向に回動させることにより、図４７Ａに示すように、開閉部４０を筐体２に対して閉じることができる。
また、本実施形態では、タンク２１がＹ軸に沿って並んで配置されている。さらに、図４７Ｂに示すように、筐体２であってタンク２１の上方に撮影部６２（例えば、ＣＣＤカメラ）が配置されている。当該撮影部６２は、開閉部４０が閉状態の場合には、外観では開閉部４０によって覆われるため認識することができない。そして、開閉部４０が開いた状態を検知すると、撮影部６０，６２が駆動し、撮影が開始されるように構成されている。
【０１０５】
図４８は、第４８実施形態にかかるプリンターの外観を示す斜視図である。
図４８に示すように、プリンター１４８は、側壁１３側に開閉部４０を備え、当該開閉部４０にタンク２１が視認可能な視認部２０１を備えている。なお、開閉部４０の開閉機構やタンク２１の配置等は第４７実施形態の構成と同様なので説明を省略する。
そして、プリンター１４８には、筐体２と開閉部４０とが係合する係合部９２が設けられている。詳細には、係合部９２は、開閉部４０側に設けられた第１係合部９２ａ（フック部）と筐体２側の第１係合部９２ａに対応する位置に設けられた第２係合部９２ｂ（留め部）とを有する。これにより、開閉部４０を確実に閉状態とすることができる。
さらに、開閉部４０のタンク２１側には注入口２２を覆うキャップ部９３が設けられている。これにより、開閉部４０が閉状態の場合には、タンク２１の注入口２２はキャップ部９３で覆われ、タンク２１からインクの漏れ等を防止することができる。また、開閉部４０が開状態の場合には、タンク２１の注入口２２からキャップ部９３が外されるため、容易に注入口２２からインクを供給することができる。また、キャップ部９３が開閉部４０に固定されているため、キャップ部９３の紛失等を防止することができる。
【０１０６】
ここで、第４７及び第４８実施形態では、開閉部４０に視認部２０１を設けたが、これに限定されない。
【０１０７】
図４９は、第４９実施形態にかかるプリンターの外観を示す側面図である。
図４９に示すように、プリンター１４９は、タンク２１が視認可能な視認部２４９を備えている。
【０１０８】
図５０は、第５０実施形態にかかるプリンターの外観を示す側面図である。
図５０に示すように、プリンター１５０は、タンク２１が視認可能な視認部２５０を備えている。
【０１０９】
図５１は、第５１実施形態にかかるプリンターの外観を示す側面図である。
図５１に示すように、プリンター１５１は、タンク２１が視認可能な視認部２５１を備えている。
【０１１０】
以下、上記実施形態のプリンターとは異なる外観を有するプリンター（例えば、ビジネス用に用いられるプリンター）の構成について説明する。なお、以下の各実施形態において第１実施形態と同じ構成には同符号を付し、説明を省略する。
【０１１１】
（第５２実施形態）
図５２Ａは、本実施形態に係るプリンターの外観を示す正面図であり、図５２Ｂ、図５２Ｃ及び図５２Ｄは、本実施形態に係るプリンターの外観を示す斜視図である。図５２Ａ、図５２Ｂ、図５２Ｃ及び図５２Ｄには、相互に直交する座標軸であるＸＹＺ軸が付されている。これ以降に示す図についても、必要に応じてＸＹＺ軸が付されている。
本実施形態では、Ｘ軸とＹ軸とによって規定される水平な平面（ＸＹ平面）にプリンター１５２を配置した状態が、プリンター１５２の使用状態である。ＸＹ平面にプリンター１５２を配置したときのプリンター１５２の姿勢を、プリンター１５２の使用姿勢と呼ぶ。
【０１１２】
Ｚ軸は、水平な平面に直交する軸である。プリンター１５２の使用状態において、Ｚ軸に沿った方向が鉛直方向となる。そして、プリンター１５２の使用状態では、図５２Ａ、図５２Ｂ及び図５２Ｃにおいて、−Ｚ方向が鉛直下方向である。なお、ＸＹＺ軸のそれぞれにおいて、矢印の向きが＋（正）の方向を示し、矢印の向きとは反対の向きが−（負）の方向を示している。図５２Ａは、プリンター１５２を＋Ｙ軸方向側から見た正面図である。図５２Ｂ及び図５２Ｄは、プリンター１５２を＋Ｘ方向側から見た斜視図である。図５２Ｃは、プリンター１５２を−Ｘ方向側から見た斜視図である。
【０１１３】
図５２Ａ、図５２Ｂ、図５２Ｃ及び図５２Ｄに示すように、プリンター１５２は、タンク２１と、記録部１５と、筐体２Ａと、開閉部４０Ａと、検知部５０と、視認部２５２と、撮影部６０と、を有している。また、プリンター１５２は、操作パネル３Ａと、排紙部４と、カバー１０Ａ等を有している。さらに、本実施形態に係るプリンター１５２は、スキャナーユニット（図示しない）を含んでいる。すなわち、プリンター１５２は、スキャナーユニットを含む複合機である。なお、プリンター１５２が複合機ではなく、スキャナーユニットを含まないプリンターであってもよい。
【０１１４】
筐体２Ａは、記録部１５等を収容するものであり、プリンター１５２の外殻を構成している。操作パネル３Ａは、筐体２Ａの外側に配置されている。操作パネル３Ａは、プリンター１５２において、排紙部４が配置された側の面（正面１１）に配置されている。操作パネル３Ａは、表示パネル８や電源ボタンや操作ボタン（いずれも図示省略）等を含んでおり、基本的な構成は第１実施形態と同様である。
【０１１５】
筐体２Ａは、正面１１と交差する側壁１３及び側壁１４とを有している。正面１１を正面に見たとき、すなわち正面１１を＋Ｙ方向側から平面視したとき、側壁１３は正面１１の＋Ｘ方向側に位置しており、側壁１４は正面１１の−Ｘ方向側に位置している。筐体２Ａのうち、操作パネル３Ａ及び排紙部４の＋Ｘ方向側（正面１１と側壁１３とのコーナー側）の部分は、操作パネル３Ａ及び排紙部４が設けられた部分よりも＋Ｙ方向側に突出している。
【０１１６】
開閉部４０Ａは、タンク２１の一部を覆うものであり、筐体２Ａの正面１１側に設けられている。開閉部４０Ａは、筐体２Ａのうち、操作パネル３Ａ及び排紙部４が設けられた部分よりも＋Ｙ方向側に突出した部分に配置されている。したがって、開閉部４０Ａは、Ｘ軸方向において操作パネル３Ａ及び排紙部４よりも側壁１３側（＋Ｘ方向側）、かつ、Ｙ軸方向において操作パネル３Ａ及び排紙部４よりも手前側（＋Ｙ方向側）に配置されている。
【０１１７】
開閉部４０Ａは、筐体２Ａに対して開閉可能に構成されている。具体的には、図５２Ｂ及び図５２Ｄに示すように、Ｘ軸に沿った軸（図示せず）を回転軸として、＋Ｘ方向側からＹＺ平面を平面視したときに時計回り及び反時計回りに移動可能である。そして、開閉部４０を開状態にする場合には、図５２Ｂにおける状態（開閉部４０Ａが閉状態）において、Ｘ軸に沿った軸を回転軸として、＋Ｘ方向側からＹＺ平面を平面視したときに反時計回りの方向に回動させることにより、図５２Ｄに示すように、開閉部４０Ａを筐体２Ａに対して開くことができる。一方、開閉部４０を閉状態にする場合には、図５２Ｄにおける状態（開閉部４０Ａが開状態）において、Ｘ軸に沿った軸を回転軸として、＋Ｘ方向側からＹＺ平面を平面視したときに時計回りの方向に回動させることにより、図５２Ｂに示すように、開閉部４０Ａを筐体２Ａに対して閉じることができる。
なお、開閉部４０Ａを開状態（図５２Ｄ参照）とすることで、筐体２Ａ内に収容されたタンク２１を露呈させ、注入口２２を介してタンク２１内にインクを供給することができる。
【０１１８】
開閉部４０Ａの下方における筐体２Ａの一部分には、タンク２１が視認可能に視認部２５２が設けられている。視認部２５２は、開口であり、視認部２５２（開口）を介して筐体２Ａ内部に収容されたタンク２１を視認することができる。そして、タンク２１に収容されたインクの量等を確認することができる。なお、視認部２５２の開口を塞ぐように、透明カバーを設けてもよい。透明性カバーは透光性を有する樹脂材料等を適用することができる。そして、例えば接着剤等により筐体２Ａに貼り付けてもよい。なお、本実施形態にかかる視認部２５２は矩形を成している。
【０１１９】
カバー１０Ａは、筐体２Ａの一部を構成している。カバー１０Ａは、筐体２Ａの上部に設けられている。カバー１０Ａは、スキャナーユニット（図示しない）を覆っている。カバー１０Ａは、Ｘ軸に沿った軸（図示せず）を回転軸として回動可能に構成されている。カバー１０Ａを筐体２Ａに対して一方方向に回動させることによって、カバー１０Ａを筐体２Ａに対して開くことができる。また、カバー１０Ａを開いた状態からカバー１０Ａを他方方向に回動させることによって、カバー１０Ａを筐体２Ａに対して閉じることができる。このように、カバー１０Ａは、筐体２に対して開閉可能に構成されている。また、カバー１０Ａには記録媒体Ｐを給紙するための給紙口９９が設けられている。給紙口９９から記録媒体Ｐを供給することで容易にコピーやスキャン処理等を行うことができる。
【０１２０】
カバー１０Ａを筐体２Ａに対して開くと、スキャナーユニット（第１実施形態の構成と同様）が露呈する。スキャナーユニットの構成は、第１実施形態と同様なので説明を省略する。
【０１２１】
Ｘ軸方向においては、筐体２Ａの長さとカバー１０Ａの長さとは略同一である。Ｙ軸方向においては、筐体２Ａの操作パネル３が設けられた位置における長さはカバー１０Ａの長さと略同一であるが、筐体２Ａの開閉部４０Ａが設けられた位置における長さはカバー１０Ａの長さよりも長い。
【０１２２】
したがって、プリンター１５２を＋Ｘ方向側から平面視したとき、カバー１０Ａは筐体２Ａのうち＋Ｙ方向側に突出している部分以外と重なる。すなわち、プリンター１５２のカバー１０Ａを＋Ｘ方向側から平面視したとき、筐体２Ａのうち＋Ｙ方向側に突出している部分に設けられた開閉部４０Ａは、カバー１０Ａと重ならないように配置されている。これにより、開閉部４０Ａを回動させる際、カバー１０Ａに阻害されることなく回動させることができる。
【０１２３】
検知部５０は、開閉部４０Ａの開閉を検知するものである。検知部５０は、各種近接センサー（例えば、赤外線型、静電容量型、誘導型、超音波型等）を適宜適用することができる。なお、検知部５０は、近接センサーの他、リミットスイッチ等の接触型であってもよい。検知部５０は、図５２Ｄに示すように、開閉部４０Ａの近傍であって筐体２Ａ側に配置されている。なお、検知部５０の配置位置は特に限定されず、開閉部４０Ａ側に配置してもよい。
【０１２４】
撮影部６０は、例えば、ＣＣＤカメラであり、タンク２１または筐体２周辺の状態を撮影可能に構成されている。また、撮影部６０は光学機構を含み、当該光学機構により撮影領域を拡大または縮小させて撮像することが可能となる。なお、撮影部６０は、ＣＭＯＳエリアセンサーやフォトダイオードセンサーであってもよい。
【０１２５】
本実施形態の撮影部６０は、操作パネル３に配置されている。さらに、図５２Ｄに示すように、筐体２Ａであってタンク２１の上方に撮影部６１（例えば、ＣＣＤカメラ）が配置されている。当該撮影部６１は、開閉部４０Ａが閉状態の場合には、外観では開閉部４０Ａによって覆われるため認識することができない。そして、開閉部４０Ａが開いた状態を検知すると、撮影部６０，６１が駆動し、撮影が開始されるように構成されている。なお、撮影部６０及び撮影部６１のいずれか一方を省略してもよし、さらに撮影部の数を増やしてもよい。
【０１２６】
また、プリンター１５２の開閉部４０Ａには、摘み部９０Ａが設けられている。そして、図５２Ｄに示すように、ユーザーの手指を摘み部９０Ａに掛けることで容易に開閉部４０Ａを開閉することができる。摘み部９０Ａは、開閉部４０Ａにおける上部に配置される。摘み部９０Ａの形状は、凹部であってもよいし、凸部であってもよい。また、図５２Ｄに示すように、プリンター１５２には、筐体２と開閉部４０Ａとが係合する係合部９１Ａが設けられており、開閉部４０Ａを確実に閉状態とすることができる。
【０１２７】
記録ヘッド１５（記録部）は、インクをインク滴として吐出（噴射）して、記録媒体Ｐに記録を行うものである。また、タンク２１は、注入口２２を有し、インクを収容するものである。なお、なお、記録ヘッド１５やタンク２１等を含め、プリンター１５２の筐体２内部の主要構成は、第１実施形態の構成と同様なので説明を省略する。
さらに、プリンター１５２の制御構成についても、第１実施形態の構成と同様なので説明を省略する。
【０１２８】
以上、本実施形態によれば、以下に示す効果を得ることができる。
【０１２９】
プリンター１５２には、開閉部４０Ａの開閉を検知する検知部５０が設けられ、また、タンク２１または筐体２Ａ周辺の状態を撮影可能な撮影部６０，６１が設けられている。これにより、プリンター１５２の周辺を撮影することが可能となり、プリンター１５２に関する悪質な行為を撮影し、セキュリティーの向上を図ることができる。また、例えば、プリンター１５２が故障した場合、故障の原因を解明する手段となり得る。さらに、本実施形態のプリンター１５２は、筐体２Ａに施錠機構等を設ける必要が無く、筐体２Ａから物体が突出することがないので、外観のデザイン性及びコンパクト性を高めることができる。
【０１３０】
ここで、第５２実施形態では、図５２Ａに示すように、タンク２１が視認可能な矩形の視認部２５２（開口）を設けたが、この形態に限定されない。視認部は種々の形態を適用することができる。
そこで、以下、具体的に他の実施形態について説明する。なお、各実施形態において第５２実施形態と同じ構成には同符号を付し、説明を省略する。また、各実施形態におけるプリンターの基本構成及び制御部の構成も第５２実施形態の構成と同様なので説明を省略する。
【０１３１】
まず、第５２実施形態では、視認部２５２は矩形であったが、視認部２５２に大きさ及び形状等に関し種々の形態を適用することができる。
【０１３２】
図５３は、第５３実施形態にかかるプリンターの外観を示す正面図である。
図５３に示すように、プリンター１５３は、タンク２１が視認可能な視認部２５３を備えている。
【０１３３】
図５４は、第５４実施形態にかかるプリンターの外観を示す正面図である。
図５４に示すように、プリンター１５４は、タンク２１が視認可能な視認部２５４を備えている。
【０１３４】
図５５は、第５５実施形態にかかるプリンターの外観を示す正面図である。
図５５に示すように、プリンター１５５は、タンク２１が視認可能な視認部２５５を備えている。
【０１３５】
図５６は、第５６実施形態にかかるプリンターの外観を示す正面図である。
図５６に示すように、プリンター１５６は、タンク２１が視認可能な視認部２５６を備えている。
【０１３６】
図５７は、第５７実施形態にかかるプリンターの外観を示す正面図である。
図５７に示すように、プリンター１５７は、タンク２１が視認可能な視認部２５７を備えている。
【０１３７】
図５８は、第５８実施形態にかかるプリンターの外観を示す正面図である。
図５８に示すように、プリンター１５８は、タンク２１が視認可能な視認部２５８を備えている。
【０１３８】
図５９は、第５９実施形態にかかるプリンターの外観を示す正面図である。
図５９に示すように、プリンター１５９は、タンク２１が視認可能な視認部２５９を備えている。
【０１３９】
図６０は、第６０実施形態にかかるプリンターの外観を示す正面図である。
図６０に示すように、プリンター１６０は、タンク２１が視認可能な視認部２６０を備えている。
【０１４０】
図６１は、第６１実施形態にかかるプリンターの外観を示す正面図である。
図６１に示すように、プリンター１６１は、タンク２１が視認可能な視認部２６１を備えている。図６１に示すように、視認部２６１の一部に湾曲部を有している。
【０１４１】
図６２は、第６２実施形態にかかるプリンターの外観を示す正面図である。
図６２に示すように、プリンター１６２は、タンク２１が視認可能な視認部２６２を備えている。図６２に示すように、視認部２６２の一部に湾曲部を有している。
【０１４２】
図６３は、第６３実施形態にかかるプリンターの外観を示す正面図である。
図６３に示すように、プリンター１６３は、タンク２１が視認可能な視認部２６３を備えている。図６３に示すように、視認部２６３は複数の開口（本実施形態では４つ）を有している。各開口は矩形を成している。視認部２６３の複数の開口はＸ軸に沿って配列されている。なお、開口の数は、プリンター１６３に搭載されるタンク２１の数と同じであってもよし、タンク２１に収容されるインクの色の種類の数であってもよい。また、視認部２６３における一部の開口の大きさは、他の開口の大きさと異なっている。
【０１４３】
図６４は、第６４実施形態にかかるプリンターの外観を示す正面図である。
図６４に示すように、プリンター１６４は、タンク２１が視認可能な視認部２６４を備えている。図６４に示すように、視認部２６４は複数の開口を有している。視認部２６４の複数の開口はＸ軸に沿って配列されている。また、視認部２６４における一部の開口の大きさは、他の開口の大きさと異なっている。
【０１４４】
図６５は、第６５実施形態にかかるプリンターの外観を示す正面図である。
図６５に示すように、プリンター１６５は、タンク２１が視認可能な視認部２６５を備えている。図６５に示すように、視認部２６５は複数の開口を有している。視認部２６５の複数の開口はＸ軸に沿って配列されている。また、視認部２６５における一部の開口の大きさは、他の開口の大きさと異なっている。
【０１４５】
図６６は、第６６実施形態にかかるプリンターの外観を示す正面図である。
図６６に示すように、プリンター１６６は、タンク２１が視認可能な視認部２６６を備えている。図６６に示すように、視認部２６６は複数の開口を有している。視認部２６６の複数の開口はＸ軸に沿って配列されている。また、視認部２６６における一部の開口の大きさは、他の開口の大きさと異なっている。
【０１４６】
図６７は、第６７実施形態にかかるプリンターの外観を示す正面図である。
図６７に示すように、プリンター１６７は、タンク２１が視認可能な視認部２６７を備えている。図６７に示すように、視認部２６７は複数の開口を有している。視認部２６７の複数の開口はＸ軸に沿って配列されている。また、開口は、いずれも同じ大きさである。
【０１４７】
図６８は、第６８実施形態にかかるプリンターの外観を示す正面図である。
図６８に示すように、プリンター１６８は、タンク２１が視認可能な視認部２６８を備えている。図６８に示すように、視認部２６８は複数の開口を有している。視認部２６８の複数の開口はＸ軸に沿って配列されている。また、開口は、いずれも同じ大きさである。
【０１４８】
図６９は、第６９実施形態にかかるプリンターの外観を示す正面図である。
図６９に示すように、プリンター１６９は、タンク２１が視認可能な視認部２６９を備えている。図６９に示すように、視認部２６９は複数の開口を有している。視認部２６９の複数の開口はＸ軸に沿って配列されている。また、視認部２６９における一部の開口の大きさは、他の開口の大きさと異なっている。
【０１４９】
図７０は、第７０実施形態にかかるプリンターの外観を示す正面図である。
図７０に示すように、プリンター１７０は、タンク２１が視認可能な視認部２７０を備えている。図７０に示すように、視認部２７０は複数の開口を有している。視認部２７０の複数の開口はＸ軸に沿って配列されている。また、開口は、いずれも同じ大きさである。
【０１５０】
図７１は、第７１実施形態にかかるプリンターの外観を示す正面図である。
図７１に示すように、プリンター１７１は、タンク２１が視認可能な視認部２７１を備えている。図７１に示すように、視認部２７１は複数の開口を有している。視認部２７１の複数の開口はＸ軸に沿って配列されている。また、開口は、いずれも同じ大きさである。
【０１５１】
図７２は、第７２実施形態にかかるプリンターの外観を示す正面図である。
図７２に示すように、プリンター１７２は、タンク２１が視認可能な視認部２７２を備えている。図７２に示すように、視認部２７２は複数の開口を有している。視認部２７２の複数の開口はＸ軸に沿って配列されている。また、開口は、いずれも同じ大きさである。
【０１５２】
図７３は、第７３実施形態にかかるプリンターの外観を示す正面図である。
図７３に示すように、プリンター１７３は、タンク２１が視認可能な視認部２７３を備えている。図７３に示すように、視認部２７３は複数の開口を有している。視認部２７３の複数の開口はＸ軸に沿って配列されている。また、開口は、いずれも同じ大きさである。
【０１５３】
図７４は、第７４実施形態にかかるプリンターの外観を示す正面図である。
図７４に示すように、プリンター１７４は、タンク２１が視認可能な視認部２７４を備えている。図７４に示すように、視認部２７４は複数の開口を有している。視認部２７４の複数の開口はＸ軸に沿って配列されている。また、視認部２７４における一部の開口の大きさは、他の開口の大きさと異なっている。
【０１５４】
図７５は、第７５実施形態にかかるプリンターの外観を示す正面図である。
図７５に示すように、プリンター１７５は、タンク２１が視認可能な視認部２７５を備えている。図７５に示すように、視認部２７５は複数の開口を有している。視認部２７５の複数の開口はＸ軸に沿って配列されている。また、開口は、いずれも同じ大きさである。
【０１５５】
図７６は、第７６実施形態にかかるプリンターの外観を示す正面図である。
図７６に示すように、プリンター１７６は、タンク２１が視認可能な視認部２７６を備えている。図７６に示すように、視認部２７６は複数の開口を有している。視認部２７６の複数の開口はＸ軸に沿って配列されている。また、視認部２７６における一部の開口の大きさは、他の開口の大きさと異なっている。
【０１５６】
図７７は、第７７実施形態にかかるプリンターの外観を示す正面図である。
図７７に示すように、プリンター１７７は、タンク２１が視認可能な視認部２７７を備えている。図７７に示すように、視認部２７７は複数の開口を有している。視認部２７７の複数の開口はＸ軸に沿って配列されている。また、視認部２７７における一部の開口の大きさは、他の開口の大きさと異なっている。
【０１５７】
図７８は、第７８実施形態にかかるプリンターの外観を示す正面図である。
図７８に示すように、プリンター１７８は、タンク２１が視認可能な視認部２７８を備えている。図７８に示すように、視認部２７８は複数の開口を有している。視認部２７８の複数の開口はＸ軸に沿って配列されている。また、視認部２７８における一部の開口の大きさは、他の開口の大きさと異なっている。
【０１５８】
図７９は、第７９実施形態にかかるプリンターの外観を示す正面図である。
図７９に示すように、プリンター１７９は、タンク２１が視認可能な視認部２７９を備えている。図７９に示すように、視認部２７９は２つの開口を有している。視認部２７９の２つの開口はＸ軸に沿って配列されている。また、視認部２７９における互いの開口の大きさは異なっている。
【０１５９】
図８０は、第８０実施形態にかかるプリンターの外観を示す正面図である。
図８０に示すように、プリンター１８０は、タンク２１が視認可能な視認部２８０を備えている。図８０に示すように、視認部２８０は２つの開口を有している。視認部２８０の２つの開口はＸ軸に沿って配列されている。また、視認部２８０における互いの開口の大きさは異なっている。
【０１６０】
図８１は、第８１実施形態にかかるプリンターの外観を示す正面図である。
図８１に示すように、プリンター１８１は、タンク２１が視認可能な視認部２８１を備えている。図８１に示すように、視認部２８１は複数の開口を有している。視認部２８１の複数の開口はＸ軸に沿って配列されている。また、開口は円形を成し、開口は、いずれも同じ大きさとなっている。
【０１６１】
図８２は、第８２実施形態にかかるプリンターの外観を示す正面図である。
図８２に示すように、プリンター１８２は、タンク２１が視認可能な視認部２８２を備えている。図８２に示すように、視認部２８２は複数の開口を有している。視認部２８２の複数の開口はＸ軸及びＺ軸に沿って配列されている。開口は、いずれも同じ大きさである。
【０１６２】
図８３は、第８３実施形態にかかるプリンターの外観を示す正面図である。
図８３に示すように、プリンター１８３は、タンク２１が視認可能な視認部２８３を備えている。図８３に示すように、視認部２８３は複数の開口を有している。視認部２８３の複数の開口はＺ軸に沿って配列されている。また、開口は、いずれも同じ大きさである。
【０１６３】
図８４は、第８４実施形態にかかるプリンターの外観を示す正面図である。
図８４に示すように、プリンター１８４は、タンク２１が視認可能な視認部２８４を備えている。図８４に示すように、視認部２８４は複数の開口を有している。視認部２８４の複数の開口はＺ軸に沿って配列されている。また、開口は、いずれも同じ大きさである。
【０１６４】
図８５は、第８５実施形態にかかるプリンターの外観を示す正面図である。
図８５に示すように、プリンター１８５は、タンク２１が視認可能な視認部２８５を備えている。図８５に示すように、視認部２８５は複数の開口を有している。視認部２８５の複数の開口はＸ軸及びＺ軸に沿って配列されている。また、視認部２８５における一部開口の大きさは、他の開口の大きさと異なっている。
【０１６５】
図８６は、第８６実施形態にかかるプリンターの外観を示す正面図である。
図８６に示すように、プリンター１８６は、タンク２１が視認可能な視認部２８６を備えている。図８６に示すように、視認部２８６は複数の開口を有している。視認部２８６の複数の開口はＸ軸及びＺ軸に沿って配列されている。また、開口は、いずれも同じ大きさである。
【０１６６】
図８７は、第８７実施形態にかかるプリンターの外観を示す正面図である。
図８７に示すように、プリンター１８７は、タンク２１が視認可能な視認部２８７を備えている。図８７に示すように、視認部２８７は複数の開口を有している。視認部２８７の複数の開口はＸ軸及びＺ軸に沿って配列されている。また、視認部２８７における互いの開口の大きさは異なっている。
【０１６７】
図８８は、第８８実施形態にかかるプリンターの外観を示す正面図である。
図８８に示すように、プリンター１８８は、タンク２１が視認可能な視認部２８８を備えている。図８８に示すように、視認部２８８は複数の開口を有している。視認部２８８の複数の開口はＸ軸及びＺ軸に沿って配列されている。また、視認部２８８における互いの開口の大きさは異なっている。
【０１６８】
図８９は、第８９実施形態にかかるプリンターの外観を示す正面図である。
図８９に示すように、プリンター１８９は、タンク２１が視認可能な視認部２８９を備えている。図８９に示すように、視認部２８９は複数の開口を有している。視認部２８９の複数の開口はＺ軸に沿って配列されている。また、視認部２８９における互いの開口の大きさは異なっている。
【０１６９】
図９０Ａは、第９０実施形態にかかるプリンターの外観を示す正面図である。また、図９０Ｂ及び図９０Ｃは第９０実施形態にかかるプリンターの一部外観を示す拡大図である。
図９０Ａに示すように、プリンター１９０は、タンク２１が視認可能な視認部２９０（２９０Ａ，２９０Ｂ）を備えている。図９０Ａ、図９０Ｂ及び図９０Ｃに示すように、視認部２９０（２９０Ａ，２９０Ｂ）は複数の開口を有している。開口の大きさは比較的小さく、矩形を成している。そして、複数の開口は、Ｘ軸方向及びＺ軸方向に沿って配列されている。なお、視認部２９０（２９０Ａ，２９０Ｂ）における開口の形状は、菱形等であってもよい。
【０１７０】
図９１Ａは、第９１実施形態にかかるプリンターの外観を示す正面図である。また、図９１Ｂは第９１実施形態にかかるプリンターの一部外観を示す拡大図である。
図９１Ａに示すように、プリンター１９１は、タンク２１が視認可能な視認部２９１を備えている。図９１Ａ及び図９１Ｂに示すように、視認部２９１は複数の開口を有している。開口の大きさは比較的小さく、円形を成している。そして、複数の開口は、Ｘ軸方向及びＺ軸方向に沿って配列されている。
【０１７１】
図９２Ａ及び図９２Ｂは、第９２実施形態にかかるプリンターの外観を示す斜視図である。
図９２Ａ及び図９２Ｂに示すように、プリンター１９２は、タンク２１が視認可能な視認部２５２を備えている。また、タンク２１の一部を覆う開閉部４０Ｂを備えている。開閉部４０Ｂの外観は湾曲面を有している。
また、図９２Ｂに示すように、筐体２Ａ側にタンク２１に対応する表示部９５が設けられている。当該表示部９５は、例えば、タンク２１毎に収容されたインクの色を表示するものである。なお、表示部９５の表示方法は、文字の他、記号や色等で表示することができる。このようにすれば、各タンク２１に供給するインクの種類の間違いを防止することができる。
【０１７２】
図９３Ａ、図９３Ｂ及び図９３Ｃは第９３実施形態にかかるプリンターの外観を示す斜視図である。
図９３Ａ及び図９３Ｂに示すように、プリンター１９３は、タンク２１が視認可能な視認部２７１を備えている。また、タンク２１の一部を覆う開閉部４０Ｃを備えている。
そして、図９３Ｃに示すように、開閉部４０Ｃは、筐体２Ａに対して開閉可能に構成されている。具体的には、Ｚ軸に沿った軸（図示せず）を回転軸として、＋Ｚ方向側からＸＹ平面を平面視したときに時計回り及び反時計回りに移動可能である。すなわち、開閉部４０Ｃを開状態にする場合には、図９３Ａにおける状態（開閉部４０Ｃが閉状態）において、Ｚ軸に沿った軸を回転軸として、＋Ｚ方向側からＸＹ平面を平面視したときに時計回りの方向に回動させることにより、図９３Ｃに示すように、開閉部４０Ｃを筐体２Ａに対して開くことができる。一方、開閉部４０Ｃを閉状態にする場合には、図９３Ｃにおける状態（開閉部４０Ｃが開状態）において、Ｚ軸に沿った軸を回転軸として、＋Ｚ方向側からＸＹ平面を平面視したときに反時計回りの方向に回動させることにより、図９３Ａに示すように、開閉部４０Ｃを筐体２Ａに対して閉じることができる。
【０１７３】
また、プリンター１９３は、タンク２１の注入口２２を覆う栓部材９６が設けられている。栓部材９６は、弾性部材９７に接続されている。さらに詳細には、弾性部材９７の一方端は栓部材９６に接続され、弾性部材９７の他方端は注入口２２の上方の筐体２Ａに配置された保持部９８に接続されている。すなわち、栓部材９６は弾性部材９７を介して保持部９８に接続されている。これにより、タンク２１にインクを供給する場合、注入口２２から栓部材９６を外した際、栓部材９６は弾性部材９７が縮むため、注入口２２の上方に移動する。従って、タンク２１にインクを供給しやすくするとともに、栓部材９６の紛失を防止することができる。
【０１７４】
ここで、第５２実施形態では、Ｘ軸に沿った軸を回転軸として開閉部４０Ａを開閉可能な構成とし、また、タンク２１をＸ軸に沿って並んで配置したが、これに限定されない。
図９４Ａ及び図９４Ｂは第９４実施形態にかかるプリンターの外観を示す斜視図である。
図９４Ａに示すように、プリンター１９４は、側壁１３側に開閉部４０Ｄを備え、当該開閉部４０Ｄの下方における筐体２Ａの一部分には、タンク２１が視認可能に視認部２９４が設けられている。
そして、開閉部４０Ｄは、筐体２Ａに対して開閉可能に構成されている。具体的には、Ｙ軸に沿った軸（図示せず）を回転軸として、＋Ｙ方向側からＸＺ平面を平面視したときに時計回り及び反時計回りに移動可能である。すなわち、開閉部４０Ｄを開状態にする場合には、図９４Ａにおける状態（開閉部４０Ｄが閉状態）において、Ｙ軸に沿った軸を回転軸として、＋Ｙ方向側からＸＺ平面を平面視したときに時計回りの方向に回動させることにより、図９４Ｂに示すように、開閉部４０Ｄを筐体２Ａに対して開くことができる。一方、開閉部４０Ｄを閉状態にする場合には、図９４Ｂにおける状態（開閉部４０Ｄが開状態）において、Ｙ軸に沿った軸を回転軸として、＋Ｙ方向側からＸＺ平面を平面視したときに反時計回りの方向に回動させることにより、図９４Ａに示すように、開閉部４０Ｄを筐体２Ａに対して閉じることができる。
【０１７５】
また、プリンター１９４の開閉部４０Ｄには、摘み部９０Ａが設けられている。そして、図９４Ｂに示すように、ユーザーの手指を摘み部９０Ａに掛けることで容易に開閉部４０Ｄを開閉することができる。摘み部９０Ａは、開閉部４０Ｄにおける上部に配置される。摘み部９０Ａの形状は、凹部であってもよいし、凸部であってもよい。また、図９４Ｂに示すように、プリンター１９４には、筐体２Ａと開閉部４０Ｄとが係合する係合部９１Ａが設けられており、開閉部４０Ｄを確実に閉状態とすることができる。
【０１７６】
図９５Ａ及び図９５Ｂは第９５実施形態にかかるプリンターの外観を示す斜視図である。
図９５Ａに示すように、プリンター１９５は、側壁１３側に開閉部４０Ｅを備え、当該開閉部４０Ｅの下方における筐体２Ａの一部分には、タンク２１が視認可能に視認部２９５が設けられている。
図９５Ａに示すように、視認部２９５は一の開口を有している。そして、開口の一部が筐体２ＡのＸ軸に沿った面とＹ軸に沿った面とが交差する角部にかかっている。
【０１７７】
また、開閉部４０Ｅは、筐体２Ａに対して開閉可能に構成されている。具体的には、Ｙ軸に沿った軸（図示せず）を回転軸として、＋Ｙ方向側からＸＺ平面を平面視したときに時計回り及び反時計回りに移動可能である。すなわち、開閉部４０Ｅを開状態にする場合には、図９５Ａにおける状態（開閉部４０Ｅが閉状態）において、Ｙ軸に沿った軸を回転軸として、＋Ｙ方向側からＸＺ平面を平面視したときに時計回りの方向に回動させることにより、図９５Ｂに示すように、開閉部４０Ｅを筐体２Ａに対して開くことができる。一方、開閉部４０Ｅを閉状態にする場合には、図９５Ｂにおける状態（開閉部４０Ｅが開状態）において、Ｙ軸に沿った軸を回転軸として、＋Ｙ方向側からＸＺ平面を平面視したときに反時計回りの方向に回動させることにより、図９５Ａに示すように、開閉部４０Ｅを筐体２Ａに対して閉じることができる。
【０１７８】
さらに、図９５Ｂに示すように、筐体２Ａであってタンク２１の上方に撮影部６２（例えば、ＣＣＤカメラ）が配置されている。当該撮影部６２は、開閉部４０Ｅが閉状態の場合には、外観では開閉部４０Ｅによって覆われるため認識することができない。そして、開閉部４０Ｅが開いた状態を検知すると、撮影部６０，６２が駆動し、撮影が開始されるように構成されている。
【０１７９】
また、プリンター１９５の開閉部４０Ｅには、摘み部９０Ａが設けられている。そして、図９５Ｂに示すように、ユーザーの手指を摘み部９０Ａに掛けることで容易に開閉部４０Ｅを開閉することができる。摘み部９０Ａは、開閉部４０Ｅにおける上部に配置される。摘み部９０Ａの形状は、凹部であってもよいし、凸部であってもよい。また、図９５Ｂに示すように、プリンター１９５には、筐体２Ａと開閉部４０Ｅとが係合する係合部９１Ａが設けられており、開閉部４０Ｅを確実に閉状態とすることができる。
【０１８０】
なお、本発明は上述した実施形態に限定されず、上述した実施形態に種々の変更や改良等を加えることが可能である。変形例を以下に述べる。
【０１８１】
（変形例１）第１実施形態では、撮影部６０を操作パネル３に設け、第４６実施形態等では、開閉部４０の内側（筐体２側）撮影部６１を設けたが、撮影部６０等の配置位置や撮影部６０等の配置数は特に限定されず、適宜必要に応じて配置してよい。例えば、スキャナーユニットの内側（筐体２内部）に撮影部６０を配置してもよい。この場合、スキャナーユニット開閉を検知する検知部を設ける。このようにすれば、スキャナーユニットを開けた場合に撮影が可能となり、さらにセキュリティーを高めることができる。
【０１８２】
（変形例２）撮影部６０，６１，６２は、開閉部４０が開けられた後、設定された時間に応じて撮影する構成であってもよい。また、プリンター１０１等の周辺環境の発生音や振動に応じて撮影を開始してもよい。このようにすれば、プリンター１０１の環境状況に応じた撮影を確実に行うことができる。
【０１８３】
（変形例３）記録制御部７３では、撮影部６０，６１，６２によって撮影された画像を自動的に印刷させてもよい。この構成によれば、作業工数を低減することができる。
【０１８４】
（変形例４）上記第１から第５１実施形態、または、第５２から第９５実施形態にかかる各構成を適宜組み合わせて適用してもよい。
【符号の説明】
【０１８５】
２，２Ａ…筐体、１５…記録ヘッド（記録部）、２１…タンク、２２…注入口、４０，４０Ａ，４０Ｂ，４０Ｃ，４０Ｄ，４０Ｅ…開閉部、５０…検知部、６０，６１，６２…撮影部、７２…撮影制御部、７３…記録制御部、１０１〜１９５…プリンター（記録装置）、２０１〜２９５…視認部。
【図１Ａ】
2018111260.tif 000003
【図１Ｂ】
2018111260.tif 000004
【図１Ｃ】
2018111260.tif 000005
【図１Ｄ】
2018111260.tif 000006
【図１Ｅ】
2018111260.tif 000007
【図１Ｆ】
2018111260.tif 000008
【図２】
2018111260.tif 000009
【図３】
2018111260.tif 000010
【図４】
2018111260.tif 000011
【図５】
2018111260.tif 000012
【図６】
2018111260.tif 000013
【図７】
2018111260.tif 000014
【図８】
2018111260.tif 000015
【図９】
2018111260.tif 000016
【図１０】
2018111260.tif 000017
【図１１】
2018111260.tif 000018
【図１２】
2018111260.tif 000019
【図１３】
2018111260.tif 000020
【図１４】
2018111260.tif 000021
【図１５】
2018111260.tif 000022
【図１６】
2018111260.tif 000023
【図１７】
2018111260.tif 000024
【図１８】
2018111260.tif 000025
【図１９】
2018111260.tif 000026
【図２０】
2018111260.tif 000027
【図２１】
2018111260.tif 000028
【図２２】
2018111260.tif 000029
【図２３】
2018111260.tif 000030
【図２４】
2018111260.tif 000031
【図２５】
2018111260.tif 000032
【図２６】
2018111260.tif 000033
【図２７】
2018111260.tif 000034
【図２８】
2018111260.tif 000035
【図２９】
2018111260.tif 000036
【図３０】
2018111260.tif 000037
【図３１】
2018111260.tif 000038
【図３２】
2018111260.tif 000039
【図３３】
2018111260.tif 000040
【図３４】
2018111260.tif 000041
【図３５】
2018111260.tif 000042
【図３６】
2018111260.tif 000043
【図３７】
2018111260.tif 000044
【図３８】
2018111260.tif 000045
【図３９Ａ】
2018111260.tif 000046
【図３９Ｂ】
2018111260.tif 000047
【図３９Ｃ】
2018111260.tif 000048
【図４０Ａ】
2018111260.tif 000049
【図４０Ｂ】
2018111260.tif 000050
【図４１】
2018111260.tif 000051
【図４２】
2018111260.tif 000052
【図４３】
2018111260.tif 000053
【図４４Ａ】
2018111260.tif 000054
【図４４Ｂ】
2018111260.tif 000055
【図４５Ａ】
2018111260.tif 000056
【図４５Ｂ】
2018111260.tif 000057
【図４６Ａ】
2018111260.tif 000058
【図４６Ｂ】
2018111260.tif 000059
【図４６Ｃ】
2018111260.tif 000060
【図４７Ａ】
2018111260.tif 000061
【図４７Ｂ】
2018111260.tif 000062
【図４８】
2018111260.tif 000063
【図４９】
2018111260.tif 000064
【図５０】
2018111260.tif 000065
【図５１】
2018111260.tif 000066
【図５２Ａ】
2018111260.tif 000067
【図５２Ｂ】
2018111260.tif 000068
【図５２Ｃ】
2018111260.tif 000069
【図５２Ｄ】
2018111260.tif 000070
【図５３】
2018111260.tif 000071
【図５４】
2018111260.tif 000072
【図５５】
2018111260.tif 000073
【図５６】
2018111260.tif 000074
【図５７】
2018111260.tif 000075
【図５８】
2018111260.tif 000076
【図５９】
2018111260.tif 000077
【図６０】
2018111260.tif 000078
【図６１】
2018111260.tif 000079
【図６２】
2018111260.tif 000080
【図６３】
2018111260.tif 000081
【図６４】
2018111260.tif 000082
【図６５】
2018111260.tif 000083
【図６６】
2018111260.tif 000084
【図６７】
2018111260.tif 000085
【図６８】
2018111260.tif 000086
【図６９】
2018111260.tif 000087
【図７０】
2018111260.tif 000088
【図７１】
2018111260.tif 000089
【図７２】
2018111260.tif 000090
【図７３】
2018111260.tif 000091
【図７４】
2018111260.tif 000092
【図７５】
2018111260.tif 000093
【図７６】
2018111260.tif 000094
【図７７】
2018111260.tif 000095
【図７８】
2018111260.tif 000096
【図７９】
2018111260.tif 000097
【図８０】
2018111260.tif 000098
【図８１】
2018111260.tif 000099
【図８２】
2018111260.tif 000100
【図８３】
2018111260.tif 000101
【図８４】
2018111260.tif 000102
【図８５】
2018111260.tif 000103
【図８６】
2018111260.tif 000104
【図８７】
2018111260.tif 000105
【図８８】
2018111260.tif 000106
【図８９】
2018111260.tif 000107
【図９０Ａ】
2018111260.tif 000108
【図９０Ｂ】
2018111260.tif 000109
【図９０Ｃ】
2018111260.tif 000110
【図９１Ａ】
2018111260.tif 000111
【図９１Ｂ】
2018111260.tif 000112
【図９２Ａ】
2018111260.tif 000113
【図９２Ｂ】
2018111260.tif 000114
【図９３Ａ】
2018111260.tif 000115
【図９３Ｂ】
2018111260.tif 000116
【図９３Ｃ】
2018111260.tif 000117
【図９４Ａ】
2018111260.tif 000118
【図９４Ｂ】
2018111260.tif 000119
【図９５Ａ】
2018111260.tif 000120
【図９５Ｂ】
2018111260.tif 000121